(57)【要約】      （修正有）【課題】棚板の取り付け作業や移動作業が簡易かつ容易にでき、棚板を安定して支持でき、布団などを収容する大面積の棚板を任意な高さに、かつ高さ変更も容易に配置できる収納構造を提供する。【解決手段】収容空間の側面板６、７に縦方向に複数の係合穴１０を並べて、４つの係合穴群１１〜１４を形成し、同一高さに４つの係合穴１０が並ぶように形成する。任意高さに横方向の棚受け２０を配置して、４つの係合突起３０を各係合穴１０に挿入する。棚受け２０の長さ方向に２つに分割した棚板片４０ａ、４０ｂを棚受け２０上に載せて架設し、各棚板片４０ａ、４０ｂの下面に形成した横方向の下垂れ挿入材４３、４３を、棚受け２０、２０の当接面２１ｄ、２１ｄ間に挿入する。この際、下垂れ挿入材４３、４３により、棚受け２０は側面板６、７側に押圧され、棚受け２０が外れることなく、安定して棚板片４０ａ、４０ｂを保持できる。【選択図】図５
0003197834.tif 000002
【実用新案登録請求の範囲】
【請求項１】
収容空間の開口に対して横方向で対向する側面板の間（距離Ｄ０）に、奥行き方向長さＬ１、横幅方向長さＤ１の棚板を架設して、以下のように構成したことを特徴とする収納構造。
(1) 前記両側面板に、縦方向に複数の係合穴を並べて形成した係合穴群を、所定間隔を空けて奥行き方向に４列形成し、同一高さに４つの係合穴が位置するように形成する。
(2) 前記同一高さの４つの係合穴に係合できる４つの係合突起を有する棚受けを形成し、前記係合突起は、棚受け基材に形成した螺孔に、金具を螺合して形成する。
(3) 前記金具は、大径円板部の一側に円柱部を形成して、他側にねじ部を形成して構成する。
(4) 前記棚板は、奥行き方向の一端部下面に、前記横幅方向の下垂れ挿入材を連設して構成する。
(5) 前記棚板は「奥行きＬ１×横幅Ｄ１の１枚の棚板から構成」し、または「横幅Ｄ１で奥行き方向に複数枚の棚板片から奥行きＬ１を構成」する。
(6) 任意の高さに前記棚受けを配置して、前記棚受けの４つの係合突起を総て、対応する係合穴に嵌挿する。
(7) 前記対向する両棚受けに、前記棚板の横幅方向の両端部を架設すると共に、前記対向する棚受け間に、前記両棚受けを前記側面板側に押圧するよう、前記下垂れ挿入材を挿入する。
【請求項２】
収容空間の開口に対して横方向で対向する側面板の間（距離Ｄ０）に、奥行き方向長さＬ１、横幅方向長さＤ１の棚板を架設して、以下のように構成したことを特徴とする収納構造。
(1) 前記両側面板に、縦方向に複数の係合穴を並べて形成した係合穴群を、所定間隔を空けて横方向に４列形成し、同一高さに４つの係合穴が位置するように形成する。
(2) 前記同一高さの４つの係合穴に係合できる４つの係合突起を有する棚受けを形成する。
(3) 前記棚板は、奥行き方向の一端部下面に、前記横幅方向の下垂れ挿入材を連設して構成する。
(4) 前記側面板にそれぞれ、任意の高さに前記棚受けを配置して、前記棚受けの係合突起を総て係合穴に嵌挿する。
(5) 前記対向する両棚受けに、前記棚板の横幅方向の両端部を架設すると共に、前記対向する棚受け間に、前記両棚受けの当接面に当接するように前記下垂れ挿入材を挿入した。
【請求項３】
収容空間の開口に対して横方向で対向する側面板の間（距離Ｄ０）に、奥行き方向長さＬ１、横幅方向長さＤ１の棚板を架設して、以下のように構成したことを特徴とする収納構造。
(1) 前記両側面板に、縦方向に複数の係合穴を並べて形成した係合穴群を、所定間隔を空けて横方向に少なくとも３列形成し、同一高さに少なくとも３つの係合穴が位置するように形成する。
(2) 前記同一高さの３つの係合穴に係合できる係合突起を有する棚受けを形成する。
(3) 前記側面板にそれぞれ、任意の高さに前記棚受けを配置して、前記棚受けの係合突起を総て係合穴に嵌挿する。
(4) 前記両棚受けに、前記棚板の横幅方向の両端部を架設した。
【考案の詳細な説明】
【技術分野】
【０００１】
本考案は、マンションの押入などの収納構造に関する。
【背景技術】
【０００２】
従来、押入などの収容庫ででは、開口からの奥行き７００〜８００ｍｍ程度で、開口の左右両側の側面間に棚板を架設して、収容物を置くスペースを作っていた。
【０００３】
とりわけ、布団などの重い物を収容する場合には、棚板を予め側面板に固定してしていた。例えば、押入の対向する側板６、６の奥行き方向に、それぞれ横桟７、７を固定して、横桟７、７間に、前框８、中框１０、後框９を平行に架設して、３つの框８、９、１０上に棚板１１を載せていた（特許文献１）。
【０００４】
また、比較的軽い物を区分けして収納できるようにするために、例えば、以下のようにしていた（特許文献２）。収納空間６の側壁部３、４（奥行き方向）に長尺方向に複数の孔１１を設けたレール材７、８、９、１０を垂直に取り付け、側壁部３の隣り合うレール材の２つを使って、円筒型の棚板取付係止片２０、２０をレールの孔１１に差し込んで、対向する側壁部４の隣り合うレール材の孔１１に棚板取付係止片２０、２０を差し込んで、棚板取付係止片２０、２０に棚板１７を載せていた。したがって、棚板１７の外周四隅に棚板取付係止片２０が配置される。また、円筒型の棚板取付係止片２０に代えてＬ字型の棚板取付用Ｌ型係止片２９も提案されている。
【先行技術文献】
【特許文献】
【０００５】
【特許文献１】特許第３９５８７３４号公報
【特許文献２】特開２０１２−１９２０３４号公報
【考案の概要】
【考案が解決しようとする課題】
【０００６】
前記特許文献１の場合では、墨出しをして、決定した位置に横桟７を配置して、側板６に釘やビス、嵌合する凹凸を形成して接着などの方法により固定することになり、その後に横桟７、７を移動することはできない。
【０００７】
また、特許文献２の場合には、レールの１つに対して、一つの係止片２０（２９）を取り付け、４つの係止片２０、２０に棚板１７を載せる構造であり、各係止片２０、２０を同一高さに載せる調整作業が面倒であり、棚板の高さを変える際には、各係止片２０、２０をそれぞれ孔１１から抜き、別の高さの孔に取り付ける必要があり、さらに面倒な作業となっていた。また、棚板１７は四隅でのみ支えられているのでバランスが悪い問題点もあった。
【課題を解決するための手段】
【０００８】
そこで、この考案は、収納空間の側面板の複数の係合穴列（レール）の係合穴（ダボ穴）に１つの棚受けを取り付けて、両側面板の棚受け間に、棚板を架設して収納構造を構成するので、棚板の取り付け作業や移動作業が容易となり、棚板を安定して支持できる。
【０００９】
すなわち、この考案は、収容空間の開口に対して横方向で対向する側面板の間（距離Ｄ０）に、奥行き方向長さＬ１、横幅方向長さＤ１の棚板を架設して、以下のように構成したことを特徴とする収納構造である。  
(1) 前記両側面板に、縦方向に複数の係合穴を並べて形成した係合穴群を、所定間隔を空けて奥行き方向に４列形成し、同一高さに４つの係合穴が位置するように形成する。  
(2) 前記同一高さの４つの係合穴に係合できる４つの係合突起を有する棚受けを形成し、前記係合突起は、棚受け基材に形成した螺孔に、金具を螺合して形成する。  
(3) 前記金具は、大径円板部の一側に円柱部を形成して、他側にねじ部を形成して構成する。  
(4) 前記棚板は、奥行き方向の一端部下面に、前記横幅方向の下垂れ挿入材を連設して構成する。  
(5) 前記棚板は「奥行きＬ１×横幅Ｄ１の１枚の棚板から構成」し、または「横幅Ｄ１で奥行き方向に複数枚の棚板片から奥行きＬ１を構成」する。  
(6) 任意の高さに前記棚受けを配置して、前記棚受けの４つの係合突起を総て、対応する係合穴に嵌挿する。  
(7) 前記対向する両棚受けに、前記棚板の横幅方向の両端部を架設すると共に、前記対向する棚受け間に、前記両棚受けを前記側面板側に押圧するよう、前記下垂れ挿入材を挿入する。
【００１０】
また、他の考案は、収容空間の開口に対して横方向で対向する側面板の間（距離Ｄ０）に、奥行き方向長さＬ１、横幅方向長さＤ１の棚板を架設して、以下のように構成したことを特徴とする収納構造である。  
(1) 前記両側面板に、縦方向に複数の係合穴を並べて形成した係合穴群を、所定間隔を空けて横方向に４列形成し、同一高さに４つの係合穴が位置するように形成する。  
(2) 前記同一高さの４つの係合穴に係合できる４つの係合突起を有する棚受けを形成する。  
(3) 前記棚板は、奥行き方向の一端部下面に、前記横幅方向の下垂れ挿入材を連設して構成する。  
(4) 前記側面板にそれぞれ、任意の高さに前記棚受けを配置して、前記棚受けの係合突起を総て係合穴に嵌挿する。  
(5) 前記対向する両棚受けに、前記棚板の横幅方向の両端部を架設すると共に、前記対向する棚受け間に、前記両棚受けの当接面に当接するように前記下垂れ挿入材を挿入した。
【００１１】
また、他の考案は、収容空間の開口に対して横方向で対向する側面板の間（距離Ｄ０）に、奥行き方向長さＬ１、横幅方向長さＤ１の棚板を架設して、以下のように構成したことを特徴とする収納構造である。  
(1 )前記両側面板に、縦方向に複数の係合穴を並べて形成した係合穴群を、所定間隔を空けて横方向に少なくとも３列形成し、同一高さに少なくとも３つの係合穴が位置するように形成する。  
(2) 前記同一高さの３つの係合穴に係合できる係合突起を有する棚受けを形成する。  
(3) 前記側面板にそれぞれ、任意の高さに前記棚受けを配置して、前記棚受けの係合突起を総て係合穴に嵌挿する。  
(4) 前記両棚受けに、前記棚板の横幅方向の両端部を架設した。
【考案の効果】
【００１２】
この考案の収容構造では、収納空間の両側面に縦方向の３つ以上の係合穴群を形成し、任意高さに横方向に棚受けを配置して、係合穴群に対応する係合突起を挿入して、棚受け上に棚板を置くだけで収納構造を構成できるので、棚板の取り付け作業や移動作業が簡易かつ容易にできる。また、棚受けは３つ以上の係合穴と係合突起とで収納空間の側面に設置されるので棚板を安定して支持できる。さらに、棚板に下垂れ挿入材を設けた場合には、下垂れ挿入材を棚受けの当接面に当接するように、あるいは押圧するように棚受け間に挿入できるので、さらに棚板を安定して支持できる。したがって、収容空間で奥行きや幅が大きな棚板を使用することができ、例えば、布団などを収容する棚板を任意な高さに、かつ高さ変更も容易に形成できる。
【図面の簡単な説明】
【００１３】
【図１】図１はこの考案の収納構造で、（ａ）は平面図（天井（固定棚）から下方を見た図）、（ｂ）は左側面図（内から左側の壁を見た図）、（ｃ）は正面図（開口から収容構造の奥側を見た図）、（ｄ）は右側面図（内から右側の壁を見た図）である。
【図２】図２はこの考案の収納構造に使用する棚受けで、（ａ）は拡大正面図、（ｂ）は拡大右側面図、（ｃ）は拡大平面図である。
【図３】図３（ａ）は図２のＡ−Ａ部分の拡大図で金具（係合突起）を取り外した状態を表し、（ｂ）は（ａ）のＢ−Ｂ線における断面図で係合突起を並記した図である。
【図４】図４はこの考案の収納構造に使用する棚板で、（ａ）は平面図、（ｂ）は正面図、（ｃ）は（ｂ）のＣ−Ｃ線における断面図で、（ｅ）は右側面図である。
【図５】図５はこの考案の収納構造に使用する棚板と棚受けを組み合わせた状態で、（ａ）は平面図、（ｂ）は正面図、（ｃ）は（ａ）のＥ−Ｅ断面図、（ｄ）は右側面図である。
【考案を実施するための形態】
【００１４】
図面に基づいて、この考案の実施態様を説明する。
【００１５】
１．収容空間１（図１）
【００１６】
（１）  この発明が適用される収納空間１は、開口２に対して、床板３と天井板４、開口２から奥行き側に正面板５、左右に側面板６、７が形成されている（図１（Ｃ）。各板３、４、５、６、７で収容空間１側を表面とする。  
開口２から正面板５の表面までの奥行き方向の長さをＬ０（内寸）とする。両側面板６、７の表面に、上下方向に多数の係合穴１０、１０をほぼ等しい間隔で形成して、係合穴群１１〜１４とし、正面板（奥）５側から第一係合穴群１１、第二係合穴群１２、第三係合穴群１３、第四係合穴群１４（開口側）の４列の係合穴群を形成する。各係合穴群の間隔（横方向）を、
第一係合穴群１１と第二係合穴群１２との距離をＬ０１
第二係合穴群１２と第三係合穴群１３との距離をＬ０２
第三係合穴群１３と第四係合穴群１４との距離をＬ０３
とする。したがって、Ｌ０＞（Ｌ０１＋Ｌ０２＋Ｌ０３）、となっている（図１（ｂ）（ｄ））。また、係合穴１０、１０がいわゆる「ダボ穴」を形成する。また、同一の高さに各係合穴群１１〜１４の係合穴１０で４つが同一高さで並ぶように形成される。また、各係合穴群１１〜１４で、上下方向の係合穴１０、１０の間隔は、通常の規格を採用するが、例えば、１０〜１００ｍｍ程度で適宜設定することもできる。
【００１７】
（２）  また、両側面板６、７の表面間の距離（＝正面板５の表面の幅）はＤ０（内寸）で形成されている。また、この収容空間１では、正面板５及び側面板６、７は高さＨ００で、上部に固定棚１６が設けられているので、床板３の表面から固定棚１６の下面までの高さをＨ０とし、主には高さＨ０の範囲がこの発明の収容構造となる。なお、第一係合穴群１１〜第四係合穴群１４は、高さＨ００の側面板６、７の天井板４の近くまでの範囲まで形成されている。
【００１８】
２．棚受け２０（図２、図３）
【００１９】
（１）  側面板６、７の幅Ｌ０（収納空間１の奥行き方向の長さ）に応じた長さＬ２、高さＨ２、厚さｔ２の帯状の木材から棚受け基材２１を構成する。棚受け基材２１の正面２１ａ（Ｌ２×Ｈ２の面）で、長さＬ２方向に、前記各係合穴群１１〜の間隔に対応して、４箇所に凹部２２を設けて、凹部２２内に、外周面に多数の突起が形成された挿入ナット２４（例えば、鬼目ナット（登録商標））を押し込んで、螺孔２５を形成する（図３（ａ）（ｂ））。凹部２２は、使用する挿入ナット２４を取り付けることにができるような深さ及び口径で形成する。また、凹部２２は非貫通孔としてあるが（図３（ｂ））、貫通孔とすることもできる（図示していない）。  
また、棚受け基材２１の正面２１ａの反対側の背面（Ｌ２×Ｈ２の面）に相当する面を当接面２１ｄとする（図２（ｃ））。
【００２０】
（２）  水平方向で隣接する螺孔２５、２５の間隔は、一端側から他端側に向けて、Ｌ２１、Ｌ２２、Ｌ２３で形成される。螺孔２５は、係合穴群１１〜１４の間隔に対応しているので、Ｌ２１＝Ｌ０１、Ｌ２２＝Ｌ０２、Ｌ２３＝Ｌ０３、で形成されている。
【００２１】
（３）  一側にねじ部２７、他側に円柱部２８を有する金具２６のねじ部２７を、螺孔２５にねじ込んで、金具２６の円柱部２８が係合突起３０を構成する（図３（ｂ）、図２（ｃ））。したがって、４つの係合突起が、一端２１ｂ側から他端２１ｃ側に向けて、Ｌ２１、Ｌ２２、Ｌ２３の間隔で配置される。  
また、金具２６は、円柱部２７とねじ部２７との間に、円柱部２７の径より充分に大径の円板部２９を有し、円板部２９を挟んで円柱部２７とねじ部２８とが形成されている構造となっている（図３（ｂ））。棚受け基材２１は、正面２１ａに薄円筒形状の大凹入部２３を形成して、大凹入部２３の底から凹部２２が形成され、挿入ナット２４を埋設して、大凹入部２３の底に挿入ナット２４の螺孔２５の開口が臨んでいる（図３（ｂ））。また、ここで、
円柱部２８の長さ＞ねじ部２７の長さ
円板部２９の径＞円柱部２８の径＞ねじ部２７の最大径
で形成されている。  
以上のようにして、棚受け２０を構成する（図２（ａ）（ｂ））。
【００２２】
３．棚板４０（図４）
【００２３】
棚板４０は、収容空間１の幅Ｄ０方向で幅Ｄ１（＜Ｄ０）、収容空間１の奥行きＬ０方向で長さＬ１１、Ｌ１２の２枚の棚片４０ａ、４０ｂから構成する。各棚板４０ａ、４０ｂは、幅Ｄ１×長さＬ１１、幅Ｄ１×長さＬ１２、で形成される。  
各棚板片４０ａ、４０ｂの板状の棚板本体４１の下面４２で、長さＬ１１方向の端縁４１ａに縁を揃えて、高さＨ１、幅Ｄ１方向で幅Ｄ１１の下垂れ挿入材（補強桟材）４３を固定する。したがって、各棚板片４０ａ、４０ｂで、棚板本体４１の幅Ｄ１方向の両側縁４１ｂ、４１ｂから、同方向の下垂れ挿入材４３の側縁４４との間に、それぞれ幅Ｄ１２の間隙４６が形成される。ここで、間隙４６は棚受け２０をはめこむためにあり、
下垂れ挿入材４３の両側の間隙４６の幅Ｄ１２≒棚受けの厚さｔ１
下垂れ挿入材４３の高さＨ１１≒棚受けの高さＨ２
で形成される。  
また、ここで、棚板片４０ａ、４０ｂの分割は、収容空間１の奥行きＬ０方向の長さＬ１１、Ｌ１２の長さは任意に設定できるが、Ｌ１１＝Ｌ１２、としてあるので、前後を考慮せずに組み立てできるが、収容空間１の奥行き方向の長さＬ０（棚板受け２０の長さＬ２）に応じて、これを塞ぐように適宜の長さに分割してＬ１１、Ｌ１２を設定できる。  
また、ここで、下垂れ挿入材４３は、別部材とせずに、棚板本体４１と一体に形成することもできる（図示していない）。
【００２４】
４．収納構造５０
【００２５】
（１）  例えば、棚板４０に布団も載せる収納構造１の場合、
収納空間：
Ｄ０＝１０８２ｍｍ
Ｌ０＝７７８ｍｍ
Ｈ０＝１９３４ｍｍ
Ｈ００＝２３８６ｍｍ
係合穴群１１〜１４の間隔：
Ｌ０１＝１７４ｍｍ（または、２２４ｍｍ）
Ｌ０２＝２６５ｍｍ（または、２４０ｍｍ）
Ｌ０３＝２６５ｍｍ（または、２４０ｍｍ）
棚受け２０：
Ｌ２＝７６８ｍｍ
Ｈ２＝４８ｍｍ
ｔ２＝１８
棚板４０：
Ｌ１＝Ｌ１１＋Ｌ１２＝３７５＋３７５＝７５０ｍｍ
Ｄ１＝１０７９ｍｍ
Ｄ１１＝１０４１ｍｍ
Ｄ１２＝Ｄ１３＝１９ｍｍ
Ｈ１＝４８ｍｍ
で構成する。
【００２６】
（２）  棚板４０を取り付ける予定の高さ（任意）に応じて、収容空間１に棚板受け２０、２０を略水平に配置して、４つの係止突起３０、３０を、対応する第一係合穴群１１〜第四係合穴群１４の各係合穴１０に挿入して、両側面板６、７に、それぞれ棚受け２０、２０を取り付ける。この実施態様では、係合穴１０の位置にもよるが、床板３から棚板４０上面までの高さを７５０ｍｍ程度を想定している。
【００２７】
（３）  棚板受け２０の奥側の（正面板５側）の上面に棚板片４０ａを載置して、下垂れ挿入材４３を両棚板受け２０、２０の当接面２１ｄ、２１ｄの間（幅Ｄ１１）に、はめるように上から下に向けて挿入する。同様に、他方の棚板片４０ｂも棚板受け２０の開口２側に載置して、下垂れ挿入材４３を両棚板受け２０、２０間に、はめるように上から下に向けて挿入する。
【００２８】
（４）  以上のようにして、収納構造５０を構成する（図１）。このように、特に工具も要らずに容易に棚受け２０、２０、棚板４０（棚板片４０ａ、４０ｂ）を取り付けることができ、かつ、棚板４０は棚板受け２０、２０の上面に載置されつつ、かつ棚板受け２０、２０の当接面２１ａ、２１ｄが、下垂れ挿入材４３の両端縁４４、４４で側面板６、７側に軽く押さえ付けられるので、棚板受け２０が側面板６、７から外れることなく、棚板４０は安定して所定位置に保持される（図１（ｃ）、図５（ｂ））。  
また、ここで、棚板受け２０が側面板６、７から外れなければ良いので、棚板受け２０の係合突起３０が係合穴１０に嵌合した状態で、下垂れ挿入材４３の両端縁４４、４４が棚板受け２０の当接面２１ｄ、２１ｄに軽く触れている程度でも可能であり、押さえ付け無くても良い。
【００２９】
（４）  また、開口２側の棚板片４０ｂまたは、奥側（正面板５側）の棚板片４０ａを取り外せば、Ｈ０の高さに応じて、外した位置で高さの大きな物を収納でできる（図示していない）。
【００３０】
（５）  また、棚板４０の高さを変更する場合、棚板４０（棚板片４０ａ、４０ｂ）を上方に向けて外して、水平方向に棚受け２０、２０を側面板６、７の係合穴１０から抜けば、容易に分解でき、新たな高さに同様に、棚板４０を設置できる。
【００３１】
（６）  また、棚板４０の設置に使用しない各係合穴群１１〜１４の係合穴１０は、従来の円柱構造のピンを差し込んで、従来の棚板やフックなどの部材を取り付けることもできる（図示していない）。
【００３２】
５．他の構成
【００３３】
（１）  前記実施態様において、収容空間１で、側面板６、７に直接に係合穴１０、１０を形成して、係合穴群１１〜１４を形成したが、他の構成とすることもできる。例えば、細い帯状の金属に長さ方向にほぼ等間隔で透孔を設けて、レールを構成し、４本のレールを両側面板の表面に距離Ｌ０１、Ｌ０２、Ｌ０３で間隔を設けて固定して、透孔を係合穴１０として係合穴群１１〜１４を構成することもできる（図示していない）。
【００３４】
（２）  また、前記実施態様において、棚板４０は２枚の棚板片４０ａ、４０ｂから構成したが、３枚以上あるは、分割しない１枚から構成することもできる（図示していない）。また、３枚以上に分割した場合であっても、幅Ｌ１１、Ｌ１２、Ｌ１３などは任意である。
【００３５】
（３）  また、前記実施態様において、係合穴群１１〜１４は４本形成したが、棚受け２０、２０を安定して取り付けて、布団用のＤ１、Ｌ１が大きな棚板４０を安全に設置するためには、少なくとも３本形成する（対応する棚受けの係合突起３０も３つ以上）、ことが望ましい。
【符号の説明】
【００３６】
１    収容空間
２    収容空間の開口
３    収容空間の床板
４    収容空間の天井板
５    収容空間の正面板
６、７  収容空間の側面板
１０    係合穴
１１    第一係合穴群
１２    第二係合穴群
１３    第三係合穴群
１４    第四係合穴群
１６    固定棚
２０    棚受け
２１    棚受け基材（棚受け）
２１ａ  棚受け基材の正面
２１ｂ  棚受け基材の一端
２１ｃ  棚受け基材の他端
２１ｄ  棚受け基材の当接面
２２    凹部（棚受け）
２３    大凹入部（棚受け）
２４    挿入ナット（棚受け）
２５    螺孔（棚受け）
２６    金具（棚受け）
２７    金具のねじ部
２８    金具の円柱部
２９    金具の円板部
３０    係合突起（棚受け）
４０    棚板
４０ａ  棚板片
４０ｂ  棚板片
４１    棚板本体
４１ａ  棚板本体の端縁
４１ｂ  棚板本体の側縁
４２    棚板本体の下面
４３    下垂れ挿入材
４４    下垂れ挿入材の端縁
４６    間隙
５０    収納構造
【図１】
0003197834.tif 000003
【図２】
0003197834.tif 000004
【図３】
0003197834.tif 000005
【図４】
0003197834.tif 000006
【図５】
0003197834.tif 000007